(57)【要約】      （修正有）【課題】一つの設備で複数のＩＳＤＮ端末がＩＳＤＮ中継網を自動で選択でき、その設備のデータを制御する場合遠隔処理ができるようにすると共に、通信料の安価な中継網を自動的に選択して、ＩＳＤＮ網へ送出することができるＩＳＤＮ中継網自動選択方式を提供する。【解決手段】多重化されているＢチャネル、Ｄチャネルを多重化分離部４で分離する。そして分離したＤチャネルを通して送られてくるダイヤル情報をダイヤル情報蓄積６に蓄積する。次に、論理処理部１０で処理後、新たなダイヤル情報をダイヤル情報付加部１１で付加し、網へ新たに送出する手段を設ける。また、論理処理部１２のデータを遠隔で制御できる手段を設ける。これらにより必要なデータを随時、遠隔で端末整合性手段を用いて書き替える。【選択図】図２
0003160525.tif 000002
【実用新案登録請求の範囲】
【請求項１】
ユーザ情報信号を転送する情報チャネル（Ｂチャネル）と、主として呼制御用信号情報等を転送する信号チャネル（Ｄチャネル）を有し、複数の前記情報チャネルと一つの前記信号チャネルをディジタル多重化しているＩＳＤＮにおいて、
複数の中継網の中から任意の一つを選ぶために、多重化されている情報チャネル（Ｂチャネル）、信号チャネル（Ｄチャネル）を分離する多重化分離部と、
前記信号チャネル（Ｄチャネル）を通して送られてきたダイヤル情報を蓄積するダイヤル情報蓄積部と、
前記ダイヤル情報に基づき利用者にとって最も安価となる新たな中継網を選択する論理処理部と、
前記新たな中継網に対応する新たなダイヤル情報を前記ダイヤル情報に付加するダイヤル情報付加部と、
該ダイヤル情報付加部で新たなダイヤル情報を付加したダイヤル情報をディジタル多重化してＩＳＤＮ網へ送出する手段と、
前記論理処理部のデータを遠隔で制御できる手段と、を備えていることを特徴とするＩＳＤＮ中継網自動選択方式。
【請求項２】
ユーザ情報信号を転送する情報チャネル（Ｂチャネル）と、主として呼制御用信号情報等を転送する信号チャネル（Ｄチャネル）を有し、複数の前記情報チャネルと一つの前記信号チャネルをディジタル多重化しているＩＳＤＮにおいて、
複数の中継網の中から任意の一つを選ぶために、多重化されている情報チャネル（Ｂチャネル）、信号チャネル（Ｄチャネル）を分離する多重化分離部と、
前記信号チャネル（Ｄチャネル）を通して送られてきたダイヤル情報を蓄積するダイヤル情報蓄積部と、
前記ダイヤル情報に基づき利用者にとって最も安価となる新たな中継網を選択する論理処理部と、
前記情報チャネル（Ｂチャネル）を通して送られてきた音声をディジタル化にて結合するディジタル化結合部と、
前記ディジタル化にて結合された音声データを転送するときに用いられる転送先ダイヤル情報の登録された登録部と、
前記新たな中継網に対応する新たなダイヤル情報を前記転送先ダイヤル情報に付加するダイヤル情報付加部と、
該ダイヤル情報付加部で新たなダイヤル情報を付加した転送先ダイヤル情報をディジタル多重化してＩＳＤＮ網へ送出する手段と、
前記論理処理部のデータを遠隔で制御できる手段と、を備えていることを特徴とするＩＳＤＮ中継網自動選択方式。
【請求項３】
前記情報チャネル（Ｂチャネル）を通して送られてきた音声は、複数の情報チャネル（Ｂチャネル）のうち、何れか１つ（Ｂ１）を通して送られてきたものであり、前記転送される音声データは音声を送ってきた以外の情報チャネル（Ｂ２）を用いたものであることを特徴とする請求項２記載のＩＳＤＮ中継網自動選択方式。
【考案の詳細な説明】
【技術分野】
【０００１】
本考案は、ＩＳＤＮ（サービス総合ディジタル通信網）契約者が中継網を利用する時に用いられる中継網自動選択方式に関し、特に使用料の安価な中継網を自動的に選択することができる中継網自動選択方式に関するものである。
【背景技術】
【０００２】
現在、電話回線の端末にアダプターを設置して利用者が料金の安価な中継網を自動選択できるような従来の中継網自動選択方式が利用されている。一方、さらに多くの情報を伝送するためにＩＳＤＮサービスの利用が図られており、今後この通信システムが大いに普及する過程にある。
【０００３】
このＩＳＤＮは高速ディジタル通信の公衆網サービスであり、情報チャネルである二つのＢチャネルと信号チャネルである一つのＤチャネルによる方式が最も良く利用されている。しかし、このＩＳＤＮでは新たに専用の端末装置もしくは専用のターミナルアダプタが必要であり、また、安価な中継網を選択して利用する方式も組み入れられていない。
【０００４】
このため、このＩＳＤＮに従来からの中継網自動選択方式を適用する形式が考え出された。この方式は図６に示すもので、１００は既存の端末、１０１はＩＳＤＮ用ターミナルアダプタ、１０２は回線接続装置（ＮＣＴＥ）、１０３は従来の中継網自動選択用機器である。ここで、ＩＳＤＮ契約者がこの方式を利用する場合は、既存の端末１００から既存インタフェースをＩインタフェースに変換する機能を有しているＩＳＤＮ用ターミナルアダプタ１０１と回線接続装置１０２とを介してＩＳＤＮ網にアクセスすることは可能である。しかし、従来の方式においては、ＩＳＤＮ端末を用いて直接アクセスすることはできない。また、ＩＳＤＮ用ターミナルアダプタ１０１を介して既存の端末１００を利用する場合は、従来の中継網自動選択方式用機器１０３が各端末毎に必要になり、装置が煩雑化し、設置コストも増加するという実状がある。
【０００５】
一方、論理処理部のデータを遠隔で維持管理しようとする場合、従来の方式ではＩＳＤＮ網の１契約番号にしか着信しないため、複数の端末装置が接続されているＩＳＤＮ網にこの方式を適用する場合、従来のセンタでは個々の既存端末のデータを遠隔で制御するには効率が悪い。
【０００６】
また、上記ＩＳＤＮに係わる従来技術として、通信動作の無駄を減少させ、通信料金を節約することを目的としたＩＳＤＮのデータ端末装置が提案されている。
【先行技術文献】
【特許文献】
【０００７】
【特許文献１】特開平２−２４３０３３号公報
【考案の概要】
【考案が解決しようとする課題】
【０００８】
上述したように従来の技術では、複数のＢチャネルが一つのＤチャネルを共用することを特徴とするＩＳＤＮと異なり、個々の端末に対して必要な設備を要し、それらの設備のデータを制御する場合個々の設備に対してしか遠隔処理ができないといった欠点があった。
【０００９】
本発明は、新たにＩＳＤＮ対応の中継網を自動で選択するものであり、かつ従来の技術の欠点を解消してＩＳＤＮの特徴を最大限に生かしたＩＳＤＮ中継網自動選択方式を提供することを目的とする。
【課題を解決するための手段】
【００１０】
ＩＳＤＮ中継網自動選択方式の発明は、上記目的を達成するため、多重化分離部でＩＳＤＮ加入者からの多重化信号を複数のＢチャネルと一つのＤチャネルに分離し、Ｄチャネルを通して端末から送信されたダイヤル情報をダイヤル情報蓄積部が受信しかつ蓄積し、ダイヤル情報に基づき利用者にとって最も安価となる新たな中継網を論理処理部が選択し、新たな中継網に対応する新たなダイヤル情報をダイヤル情報付加部が前記ダイヤル情報に付加した後、新たなダイヤル情報を付加したダイヤル情報を再び多重化するための手段を有している。
【００１１】
また、前記論理処理部のデータの制御を遠隔から可能とするため、ＩＳＤＮ網に接続したオンラインセンタ設備から送られるＩＳＤＮに特有な端末整合性確認手段を用い、ＩＳＤＮ網に接続された回線接続装置の端末間近に配置されるＩＳＤＮ中継網自動選択用機器へ遠隔操作で着信させる構成を有している。
【００１２】
また、論理処理部に転送先ダイヤル情報が予め登録されているときには、ディジタル化結合部により、情報チャネル（Ｂチャネル）を通して送られてきた音声をディジタル化にて結合して音声データとして、ダイヤル情報付加部により新たな中継網に対応する新たなダイヤル情報を転送先ダイヤル情報に付加して、新たなダイヤル情報を付加した転送先ダイヤル情報と音声データとをディジタル多重化して、ＩＳＤＮ網へ送出できるように構成されており、前記情報チャネル（Ｂチャネル）を通して送られてきた音声は、複数の情報チャネル（Ｂチャネル）のうち、何れか１つ（Ｂ１）を通して送られてきたものであり、前記転送される音声データは音声を送ってきた以外の情報チャネル（Ｂ２）を用いてＩＳＤＮ網へ送出できるようになっている。
【００１３】
上記構成により、ＩＳＤＮ加入者からの中継網選択のための情報を中継網に送出する場合に有効に働き、最も安価な中継網を選択することができる。また、中継網を選択するために必要なデータを随時、遠隔で書き替えることができる。
【考案の効果】
【００１４】
本発明の方式によれば、従来の中継網自動選択方式同様、ＩＳＤＮ網においても自由に中継網選択が可能となる。また、加入回線単位にダイヤル情報が送出される既存の網と異なり、ＩＳＤＮ網では、ダイヤル情報がＤチャネル１チャネルで数回線分共用できるため、回線接続装置（ＮＣＴＥ）の端末側真近に本発明の方式による装置を挿入することで、数回線分の中継網自動選択方式が可能となり、一つの装置で複数の端末が利用でき、端末毎に対して各々の設備が不要となり大幅なコスト低減となる。さらに、通信料の安価な中継網を自動的に選択させ、ＩＳＤＮ網へ送出することができるので、中継網自動選択方式の維持コストを低減することができる。
【図面の簡単な説明】
【００１５】
【図１】本発明の一例のＩＳＤＮ中継網自動選択方式の構成を示す概略図である。
【図２】ＩＳＤＮ中継網自動選択用機器の構成を示すブロック図であり、ＩＳＤＮ端末から中継網側への発信時の動作の一例を示している。
【図３】ＩＳＤＮ中継網自動選択用機器の構成を示すブロック図であり、中継網側からＩＳＤＮ端末への着信時の動作の一例を示している。
【図４】ＩＳＤＮ中継網自動選択方式の発信時のビットイメージを概念的に示す説明図であり、図２におけるＤチャネルのダイヤル情報にだけ着目したビットイメージの具体例を示している。
【図５】網側からＩＳＤＮ端末へ着信があった場合、予め設定しておいたダイヤル先（転送先ダイヤル情報）に中継網を介して転送するときの概念を示す説明図である。
【図６】従来の中継網自動選択方式の構成を示す概略図である。
【考案を実施するための形態】
【００１６】
以下、本発明を実施するための形態たる実施例を図１〜図５により以下に説明する。もちろん、本発明は、その発明の趣旨に反しない範囲で、実施例において説明した以外の構成のものに対しても容易に適用可能なことは説明を要するまでもない。
【００１７】
図１は本発明のＩＳＤＮ中継網自動選択方式の構成を示すものであり、複数のＩＳＤＮ端末１は、ＩＳＤＮ中継網自動選択用機器２に接続することにより、回線接続装置（ＮＣＴＥ）３、ＩＳＤＮ網を介して、後述する新たな中継網にアクセスできるようになっている。
【００１８】
図２及び図３はＩＳＤＮ中継網自動選択用機器２の構成を示すブロック図であり、図２はＩＳＤＮ端末１から中継網側への発信時の動作の一例を示している。図１により説明すると、ＩＳＤＮ中継網自動選択用機器２には、第１の多重化分離部４、第１のデータリンク制御部５、ダイヤル情報蓄積部６、演算処理部（ＣＰＵ）７とＲＯＭ８とＲＡＭ９を構成する論理処理部１０、ダイヤル情報付加部１１、第２のデータリンク制御部１２、第１の多重化部１３、ディジタル化結合部１４等を備えている。そして、ＩＳＤＮ端末１側から発信のために通常のダイヤルを入力等した際には、タイムスロット上に割り当てられたＢチャネルおよびＤチャネルのうちＤチャネルに、網選択に必要な情報がダイヤル情報としてディジタル化され、第１の多重化分離部４に送られてくる。よって、網選択に必要な情報は、Ｄチャネルをみれば判断できるようになっている。
【００１９】
前述したようにディジタル化された情報が第１の多重化分離部４に送られてくると、第１の多重化分離部４は網選択に必要なＤチャネルとＢチャネルとを分離する。続いて、第１のデータリンク制御部５は、第１の多重化分離部４からＤチャネル上に送られてきた呼制御用信号情報からダイヤル情報を含んでいる呼設定情報を抽出し、抽出した呼設定情報の中から更に、ダイヤル情報を抽出すると、この抽出したダイヤル情報がダイヤル情報蓄積部６に蓄積される。
【００２０】
次に、ダイヤル情報は、演算処理部７、ＲＯＭ８、及びＲＡＭ９を構成する論理処理部１０へ転送され、論理処理部１０では転送されて来たダイヤル情報を基に、該ダイヤル先に発信する上で利用者にとって最も安価となる新たな中継網を選択する選択処理を行う。なお、この処理のために必要な各種データは、後述するオンラインセンタから送られてくるものである。
【００２１】
次に、論理処理部１０が利用者にとって最も安価となる新たな中継網を選択した場合には、論理処理部１０は新たな中継網情報をダイヤル情報付加部１１へ通知する。
【００２２】
新たな中継網情報が通知されてくると、ダイヤル情報付加部１１は、通知された新たな中継網情報に基づきＩＳＤＮ端末１から送られて来た、Ｄチャネルの当初のダイヤル情報に対して、最適（利用者にとって最も安価）な中継網を選択するための新たなダイヤル情報を先頭に付加し、第２のデータリンク制御部１２に転送する。
【００２３】
ダイヤル情報を先頭に付加したダイヤル情報が転送されてくると、第２のデータリンク制御部１２は、再び呼制御用信号情報に組立て第１の多重化部１３に転送し、第１の多重化部１３はＢチャネルとＤチャネルを多重化しタイムスロット上に割り当て網側に送出する。
【００２４】
図４は図２におけるＤチャネルのダイヤル情報にだけ着目したビットイメージの具体例を示している。なお、この補足具体例では、例えば、ＩＳＤＮ端末５が“０２４９”と発信したのに対し、網側へは、”００ＸＸ０２４９”を発信していることを表したものである。
【００２５】
次に、網側からＩＳＤＮ中継網自動選択用機器２を通じてＩＳＤＮ端末１へ着信があったときの転送動作について、図３に表した構成及び図５により説明する。この一例は、図５の説明図に示すように、網側からＩＳＤＮ端末１へ着信があった場合、転送先に中継網を介して転送しようというものであり、転送する上で、最適（利用者にとって最も安価）な中継網を選択するための新たなダイヤル情報を転送先ダイヤル情報の先頭に付加（新たなダイヤル情報+転送先ダイヤル情報）してから、転送しようというものである。
【００２６】
網側を通じてＩＳＤＮ端末１へ着信がある場合、タイムスロット上に割り当てられた複数のＢチャネル（Ｂ１とＢ２）およびＤチャネルのうち、Ｂチャネルの一つである例えばＢ１を通じて音声が送られてくる。
【００２７】
次に、送られてきた音声は、ディジタル化結合部１４により音声データとしてディジタル化される。
【００２８】
次に、予め論理処理部１０の登録部たるＲＡＭ９に登録されている転送先ダイヤル情報を基に、該ダイヤル先に発信する上で利用者にとって最も安価となる新たな中継網を選択する選択処理を行う。なお、この処理のために必要な各種データは、オンラインセンタから送られてくるものである。
【００２９】
次に、論理処理部１０が利用者にとって最も安価となる新たな中継網を選択した場合には、論理処理部１０は新たな中継網情報をダイヤル情報付加部１１へ通知する。
【００３０】
新たな中継網情報が通知されてくると、ダイヤル情報付加部１１は、通知された新たな中継網情報に基づき、Ｄチャネルの転送先ダイヤル情報に対して、最適（利用者にとって最も安価）な中継網を選択するための新たなダイヤル情報を先頭に付加し、第２のデータリンク制御部１２に転送する。
【００３１】
ダイヤル情報を先頭に付加したダイヤル情報が転送されてくると、第２のデータリンク制御部１２は、再び呼制御用信号情報に組立て第１の多重化部１３に転送し、第１の多重化部１３はＢチャネルとＤチャネルを多重化しタイムスロット上に割り当て、網側を通じて転送先へ送出する。なお、転送先へ送出するときは、前記音声が着信するときに用いられたＢチャネルのＢ１ではなく、他方のＢチャネルのＢ２を通じて送出される。
【００３２】
図３は中継網側からＩＳＤＮ端末１への着信時の動作の一例を示したものである。図３により説明すると、ＩＳＤＮ中継網自動選択用機器２には、図１に基づき説明した符号４〜１４のほか、第２の多重化分離部１５、第３のデータリンク制御部１６、サブアドレス検出部１７、自動応答部１８、ダウンロードゲート１９、第４のデータリンク制御部２０、第２の多重化部２１等を備えている。そして、中継網側から着信があると、ＩＳＤＮ中継網自動選択用機器自体がＩＳＤＮ網内の１端末としての動作を行う。したがって、図３の一例では、論理処理部１０の管理データを必要により変更する場合、ＩＳＤＮ網を介して接続されているオンラインセンタから論理処理部１０に着信させる手段が必要となる。このため、オンラインセンタではＩＳＤＮ網特有の端末整合性確認手段を用い該当するＩＳＤＮ端末１へ着信させることを可能としている。
【００３３】
ここで、サブアドレス方式について図３によりさらに説明すると、中継網側からＩＳＤＮ端末１へ着信させるときには、オンラインセンタは、サブアドレスを着信電話番号の後に付与したデータをＩＳＤＮ網へ送出する。
【００３４】
すると、ＩＳＤＮ網へ送出されたデータは、第２の多重化分離部２１に送られ、第２の多重化分離部２１によりＢチャネルとＤチャネルとに分離される。続いて、第３のデータリンク制御部１６は、第２の多重化分離部２１から送られてきた、データとしてのＤチャネルの呼制御用信号情報の中からサブアドレス情報を含んだ呼設定情報を抽出する。
【００３５】
次に、サブアドレス検出部１７では、送られて来たサブアドレスが一致するか判断する。一致した場合は、自動応答部１８によりオンラインセンタへ応答を帰す。応答を受けたオンラインセンタでは、Ｂチャネル上に必要なデータを乗せＩＳＤＮ網へ送出する。送出されたデータはＢチャネル上のダウンロードゲート１９により論理処理部１０のＲＡＭ９へ引き込まれ必要なデータが書き替えられる。一致しない場合は、第４のデータリンク制御部２０を介して第２の多重化部２１に転送され、ＢチャネルとＤチャネルを多重化しタイムスロット上に割り当てＩＳＤＮ端末側に送出する。
【００３６】
以上のように本発明の方式によれば、第１の多重化分離部４でＩＳＤＮ加入者からの多重化信号を複数のＢチャネルと一つのＤチャネルに分離し、Ｄチャネルを通してＩＳＤＮ端末１から送信されたダイヤル情報をダイヤル情報蓄積部６が受信しかつ蓄積し、ダイヤル情報に基づき利用者にとって最も安価となる新たな中継網を論理処理部１０が選択し、新たな中継網に対応する新たなダイヤル情報を、ダイヤル情報付加部１１が前記ダイヤル情報に付加した後、新たなダイヤル情報を付加したダイヤル情報を再び多重化してＩＳＤＮ網へ送出する第１の多重化部１３を有している。また、前記論理処理部１０のデータの制御を遠隔から可能とするため、ＩＳＤＮ網に接続したオンラインセンタ設備から送られるＩＳＤＮに特有な端末整合性確認手段を用い、ＩＳＤＮ網に接続された回線接続装置３の端末間近に配置されるＩＳＤＮ中継網自動選択用機器２へ遠隔操作で着信させる構成を有している。また、論理処理部１０に転送先ダイヤル情報が予め登録されているときには、ディジタル化結合部１４により、情報チャネル（Ｂチャネル）を通して送られてきた音声をディジタル化にて結合して音声データとし、ダイヤル情報付加部１１により新たな中継網に対応する新たなダイヤル情報を転送先ダイヤル情報に付加して、新たなダイヤル情報を付加した転送先ダイヤル情報と音声データとをディジタル多重化して、ＩＳＤＮ網へ送出する構成を有し、前記情報チャネル（Ｂチャネル）を通して送られてきた音声は、複数の情報チャネル（Ｂチャネル）のうち、何れか１つ（Ｂ１）を通して送られてくる一方で、前記転送される音声データは音声を送ってきた以外の情報チャネル（Ｂ２）を用いてＩＳＤＮ網へ送出する構成を有している。以上の構成により、ＩＳＤＮ加入者からの中継網選択のための情報を中継網に送出する場合に有効に働き、最も安価な中継網を選択することができる。また、中継網を選択するために必要なデータを随時、遠隔で書き替えることができる。
【００３７】
さらに本発明の方式によれば、従来の中継網自動選択方式同様、ＩＳＤＮ網においても自由に中継網選択が可能となる。また、加入回線単位にダイヤル情報が送出される既存の網と異なり、ＩＳＤＮ網では、ダイヤル情報がＤチャネル１チャネルで数回線分共用できるため、回線接続装置（ＮＣＴＥ）３の端末側真近に本発明の方式によるＩＳＤＮ中継網自動選択用機器２を挿入することで、数回線分の中継網自動選択方式が可能となり、一つの装置で複数の端末が利用でき、端末毎に対して各々の設備が不要となり大幅なコスト低減となる。また、通信料の安価な中継網を自動的に選択して、音声データ等をＩＳＤＮ網へ送出することができるので、中継網自動選択方式の維持コストを低減することができる。
【符号の説明】
【００３８】
１  ＩＳＤＮ端末（端末）
２  ＩＳＤＮ中継網自動選択用機器
３  回線接続装置（ＮＣＴＥ）
４  第１の多重化分離部
５  第１のデータリンク制御部
６  ダイヤル情報蓄積部
７  演算処理部（ＣＰＵ）
８  ＲＯＭ
９  ＲＡＭ
１０  論理処理部
１１  ダイヤル情報付加部
１２  第２のデータリンク制御部
１３  第１の多重化部（ＩＳＤＮ網へ送出する手段）
１４  ディジタル化結合部
１５  第２の多重化分離部
１６  第３のデータリンク制御部
１７  サブアドレス検出部
１８  自動応答部
１９  ダウンロードゲート
２０  第４のデータリンク制御部
２１  第２の多重化部
【図１】
0003160525.tif 000003
【図２】
0003160525.tif 000004
【図３】
0003160525.tif 000005
【図４】
0003160525.tif 000006
【図５】
0003160525.tif 000007
【図６】
0003160525.tif 000008
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
ユーザ情報信号を転送する情報チャネルと、主として呼制御用信号情報を転送する信号チャネルを有し、複数の前記情報チャネルと一つの前記信号チャネルをディジタル多重化しているＩＳＤＮにおいて、
複数の中継網の中から任意の一つを選ぶために、多重化されている情報チャネル、信号チャネルを分離する多重化分離部と、
前記信号チャネルを通して送られてきたダイヤル情報を蓄積するダイヤル情報蓄積部と、
前記ダイヤル情報に基づき利用者にとって最も安価となる新たな中継網を選択する論理処理部と、
前記新たな中継網に対応する新たなダイヤル情報を前記ダイヤル情報に付加するダイヤル情報付加部と、
該ダイヤル情報付加部で新たなダイヤル情報を付加したダイヤル情報をディジタル多重化してＩＳＤＮ網へ送出する手段と、
前記論理処理部のデータを遠隔で制御できる手段と、を備えていることを特徴とするＩＳＤＮ中継網自動選択方式。
【請求項２】
ユーザ情報信号を転送する情報チャネルと、主として呼制御用信号情報を転送する信号チャネルを有し、複数の前記情報チャネルと一つの前記信号チャネルをディジタル多重化しているＩＳＤＮにおいて、
複数の中継網の中から任意の一つを選ぶために、多重化されている情報チャネル、信号チャネルを分離する多重化分離部と、
前記信号チャネルを通して送られてきたダイヤル情報を蓄積するダイヤル情報蓄積部と、
前記ダイヤル情報に基づき利用者にとって最も安価となる新たな中継網を選択する論理処理部と、
前記情報チャネルを通して送られてきた音声をディジタル化にて結合するディジタル化結合部と、
前記ディジタル化にて結合された音声データを転送するときに用いられる転送先ダイヤル情報の登録された登録部と、
前記新たな中継網に対応する新たなダイヤル情報を前記転送先ダイヤル情報に付加するダイヤル情報付加部と、
該ダイヤル情報付加部で新たなダイヤル情報を付加した転送先ダイヤル情報をディジタル多重化してＩＳＤＮ網へ送出する手段と、
前記論理処理部のデータを遠隔で制御できる手段と、を備えていることを特徴とするＩＳＤＮ中継網自動選択方式。
【請求項３】
前記情報チャネルを通して送られてきた音声は、複数の情報チャネルのうち、何れか１つを通して送られてきたものであり、前記転送される音声データは音声を送ってきた以外の情報チャネルを用いたものであることを特徴とする請求項２記載のＩＳＤＮ中継網自動選択方式。